(57)【要約】【課題】  隣接極のバイメタルや隣接する多極式配線用遮断器のバイメタルからの熱影響を緩和し、引き外し動作の安定化を図ることができる多極式配線用遮断器を提供する。【解決手段】  筺体１内に２極以上のバイメタルを収納した多極式配線用遮断器において、各極のバイメタル７，１２をそれぞれの延長線がトリガレバー１６の回転中心軸１７の方向に向かうように、かつ相互に高さ方向に位置をずらせて配置した。これにより隣接極のバイメタルや隣接する多極式配線用遮断器のバイメタルからの熱影響を緩和し、引き外し動作の安定化を図ることができる。また各バイメタルの先端とトリガレバー１６の引き外しポイントとが近くなり、より一層、引き外し動作の安定化を図ることができる。【選択図】    図１
2005216568.tif 000002
【特許請求の範囲】
【請求項１】
筺体内に２極以上のバイメタルを収納した多極式配線用遮断器において、各極のバイメタルをそれぞれの延長線がトリガレバーの回転中心軸の方向に向かうように、かつ相互に位置をずらせて配置したことを特徴とする多極式配線用遮断器。
【請求項２】
各極のバイメタルを、筺体の高さ方向に位置をずらせて筺体の厚み方向に並設したことを特徴とする請求項１記載の多極式配線用遮断器。
【発明の詳細な説明】
【技術分野】
【０００１】
本発明は、筺体内に２極以上のバイメタルを収納した多極式配線用遮断器に関するものである。
【背景技術】
【０００２】
多極式配線用遮断器は筺体内部を隔壁により厚み方向に区画して複数の室を形成し、各室の内部に引き外し機構を収納した構造のものである。それぞれの引き外し機構は過電流により湾曲するバイメタルを備え、バイメタルの変形量が所定レベルを超えるとトリップバーが動かされ、その先端がトリガレバーを蹴ると同時に引き外し機構が引き外され、接点をオフとする構造となっている（特許文献１）。
【０００３】
従来の多極式配線用遮断器においては、各極の引き外し機構やバイメタルは同一構造であり、従って各極のバイメタルは隔壁を挟んだ同一位置に、並設されているのが一般的である。しかし最近では筺体のスリム化が進んでいるために筺体の厚みが薄くなっており、隣接極のバイメタル間の距離が接近している。このため、隣接極のバイメタルからの熱影響を受けやすいという問題があった。また分電盤などの内部に多数の多極式配線用遮断器を配置した場合には、隣接する多極式配線用遮断器のバイメタルからの熱影響をも受けることがあり、引き外し動作の不安定を招くおそれがあった。
【特許文献１】特開２００３−３４６６３０号公報
【特許文献２】特開２００３−２９７２１６号公報
【発明の開示】
【発明が解決しようとする課題】
【０００４】
本発明は上記した従来の問題点を解決して、隣接極のバイメタルや隣接する多極式配線用遮断器のバイメタルからの熱影響を緩和し、引き外し動作の安定化を図ることができる多極式配線用遮断器を提供するためになされたものである。
【課題を解決するための手段】
【０００５】
上記の課題を解決するためになされた本発明の配線用遮断器は、筺体内に２極以上のバイメタルを収納した多極式配線用遮断器において、各極のバイメタルをそれぞれの延長線がトリガレバーの回転中心軸の方向に向かうように、かつ相互に位置をずらせて配置したことを特徴とするものである。なお具体的には、各極のバイメタルを筺体の高さ方向に位置をずらせて配置することが好ましい。
【発明の効果】
【０００６】
本発明の多極式配線用遮断器は、各極のバイメタルを相互に位置をずらせて筺体内に配置したので、筺体が薄型化した場合にも，隣接極のバイメタルや隣接する多極式配線用遮断器のバイメタルからの熱影響を緩和し、引き外し動作の安定化を図ることができる。しかも各極のバイメタルをそれぞれの延長線がトリガレバーの回転中心軸の方向に向かうように筺体内に配置したので、バイメタルの先端とトリガレバーの引き外しポイントとが近くなり、より一層、引き外し動作の安定化を図ることができる。
【発明を実施するための最良の形態】
【０００７】
以下に本発明を２極式の配線用遮断器に適用した実施形態を説明する。
この実施形態の配線用遮断器は、図１に示すように筺体１の内部を隔壁２によって厚み方向に左右に区画したもので、図１には手前側の室に収納されたフィンガ３、その先端の可動接点４、固定接点５、瞬時引き外し装置６、バイメタル７などが示されている。また図２は図１とは反対側の室を示した図であり、同様にフィンガ８、その先端の可動接点９、固定接点１０、瞬時引き外し装置１１、バイメタル１２などが示されている。
【０００８】
これらの両極のフィンガ３，８はクロスバー１３によって連結されており、軸１４を中心として同時に開閉されるようになっている。またハンドル１５、トリガレバー１６及びこれらを連結するリンク１７は筺体１内の隔壁２のない部分に設けられて両極に共通のものとなっており、両極が同時に開閉されるようになっている。なおこの引き外し機構そのものは特許文献１などによって公知であり、かつ本発明の要点ではないので詳細な説明は省略する。図３に示すように、トリガレバー１６はその両側に各極のバイメタル７，１２の先端と接触する突起１８，１９を備えている。なおこの実施形態では、トリガレバー１６は軸１４を中心として回転できる構造となっている。
【０００９】
本発明では、各極のバイメタル７，１２が相互に位置をずらせて配置されている。すなわち、図１に示されるバイメタル７はその基部が筺体１の下部に固定されており、その先端はトリガレバー１６の突起１８の近傍に達している。そしてバイメタル７の延長線はトリガレバー１６の回転中心軸である軸１４の方向に向かうように、全体が傾斜させて配置されている。
【００１０】
また、図２に示される他極のバイメタル１２は、その基部が隔壁２の上部に固定されており、その全体の延長線はトリガレバー１６の回転中心軸である軸１４の方向に向かうように水平に延びている。そしてバイメタル１２の先端はトリガレバー１６の突起１９の近傍に達している。
【００１１】
なお２０は負荷側端子、２１は負荷側端子とバイメタル７，１２の基部とを接続する導体、２２はバイメタル７，１２とフィンガ３，８とを接続する可撓性導体であり、この可撓性導体２２は瞬時引き外し装置６、１１の内部を通過させてある。
【００１２】
このように構成された本発明の多極式配線用遮断器は、回路に過電流が流れるとバイメタル７，１２が発熱してその先端が上方に湾曲し、トリガレバー１６の突起１８，１９と接触してトリガレバー１６を回転させ、引き外し機構が引き外されて、接点を開放する。なおトリガレバー１６はいずれのバイメタル７，１２によっても回転されるので、いずれの極のバイメタル７，１２が湾曲したときにも全部の極の接点が同時に開放される。
【００１３】
このような引き外し動作を行うことは、従来の配線用遮断器と同様である。しかし本実施形態の配線用遮断器においては、隔壁２を挟んで筺体１の厚み方向に並設されたバイメタル７とバイメタル１２とは、高さ方向に位置をずらせて配置されている。このために隣接極のバイメタル７，１２からの熱影響を受けにくい。また多数の配線用遮断器を密接させて配置した場合にも、隣接する多極式配線用遮断器のバイメタルからの熱影響を受けにくくなり、引き外し動作の安定化を図ることができる。
【００１４】
しかも本発明では各極のバイメタル７，１２をそれぞれの延長線がトリガレバー１６の回転中心軸１７の方向に向かうように筺体１内に配置したので、バイメタル７，１２の先端とトリガレバー１６の引き外しポイントとが近くなり、より一層、引き外し動作の安定化を図ることができる。すなわち、バイメタル７の先端はトリガレバー１６の突起１８をトリガレバー１６の回転方向（軸１７と突起１８とを結ぶ線に対して直角方向）に蹴ることとなり、またバイメタル１２の先端もトリガレバー１６の突起１９をトリガレバー１６の回転方向（軸１７と突起１９とを結ぶ線に対して直角方向）に蹴ることとなる。しかも軸１７と突起１８との距離は軸１７と突起１９との距離と等しく設定されており、トルクの点においても同一となる。また、従来のようなバイメタルとトリガレバーとの間の動作を伝えるトリップバーが不要となる利点がある。
なお、バイメタル７は全体が傾斜させて配置されているので、バイメタルを長くすることができ、バイメタルの作動量を大きくとることができるので引き外しの性能が安定する。また、筺体の全長を小さくすることができる。
【００１５】
このように本発明の多極式配線用遮断器によれば、筺体が薄型化した場合にも隣接極のバイメタルや隣接する多極式配線用遮断器のバイメタルからの熱影響を緩和し、引き外し動作の安定化を図ることができる効果がある。
【図面の簡単な説明】
【００１６】
【図１】本発明の実施形態を示す正面図である。
【図２】本発明の実施形態を示す背面図である。
【図３】トリガレバーの斜視図である。
【符号の説明】
【００１７】
１  筺体
２  隔壁
３  フィンガ
４  可動接点
５  固定接点
６  瞬時引き外し装置
７  バイメタル
８  フィンガ
９  可動接点
１０  固定接点
１１  瞬時引き外し装置
１２  バイメタル
１３  クロスバー
１４  軸
１５  ハンドル
１６  トリガレバー
１７  リンク
１８  突起
１９  突起
２０  負荷側端子
２１  導体
２２  可撓性導体
【図１】
2005216568.tif 000003
【図２】
2005216568.tif 000004
【図３】
2005216568.tif 000005